(57)【要約】      （修正有）【課題】より簡単に製造でき、損失をより少なくして、サスティンをより長くするエレキギターを提供する。【解決手段】エレキギター１において、ネックプレート１１の穴およびボディ１２の穴を貫通する木ねじがネック１３にねじ込まれて、ネックプレート１１とネック１３とにボディ１２が挟み込まれることで、ネック１３がボディ１２に固定される。すなわち、エレキギター１は、ボディ１２とネック１３との接合方式としてボルトオンネック方式を採用する。ネックプレート１１は、チタンを主成分として含有する材料からなる。【選択図】図１
0003154347.tif 000002
【実用新案登録請求の範囲】
【請求項１】
ネックとボディの接合方式としてボルトオンネック方式を採用するエレキギターに用いるネックプレートであって、
チタンを主成分として含有する材料からなるネックプレート。
【請求項２】
請求項１に記載のネックプレートであって、
四隅の近傍に配置されている４つのねじ穴のうちの任意の２つのねじ穴からなるねじ穴の組の全てのそれぞれについて、ねじ穴の間にリブが設けられているネックプレート。
【請求項３】
請求項１または請求項２のいずれかに記載のネックプレートであって、
中央がより厚く、辺に近づくに従ってより薄くなるように、前記ボディと接する側の面が凸状の曲面形状に成形されているネックプレート。
【請求項４】
ネックとボディの接合方式としてボルトオンネック方式を採用するエレキギターであって、
チタンを主成分として含有する材料からなるネックプレートを備えるエレキギター。
【請求項５】
請求項４に記載のエレキギターであって、
四隅の近傍に配置されている４つのねじ穴のうちの任意の２つのねじ穴からなるねじ穴の組の全てのそれぞれについて、ねじ穴の間にリブが設けられている前記ネックプレートを備えるエレキギター。
【請求項６】
請求項４または請求項５のいずれかに記載のエレキギターであって、
中央がより厚く、辺に近づくに従ってより薄くなるように、前記ボディと接する側の面が凸状の曲面形状に成形されている前記ネックプレートを備えるエレキギター。
【考案の詳細な説明】
【技術分野】
【０００１】
本考案はネックプレートおよびエレキギターに関する。
【背景技術】
【０００２】
従来から、ボディに埋設されたピックアップによって、弦の振動を電気信号に変換して出力するエレキギター（エレクトリックギターまたは電気ギターとも称される）が広く使用されている。
【０００３】
ネックとボディの接合方式として、ネックとボディを接着するセットネック方式、ネックとボディが一体に形成されているスルーネック方式、またはボディの裏側からボディを貫通させたボルトによってネックをボディに固定するボルトオンネック方式がある。
【０００４】
従来の弦楽器におけるネック連結構造として、ボディの表面に形成したネック差込み溝にネックの基端部を差し込むとともに、このネック基端部の表面に形成した凹部からネック連結ねじをねじ込み、ネック連結ねじが、ボディの厚さ方向の途中位置までしか達せず、凹部の内部には、ピックアップを装着してネック連結ねじを隠すようにするものが提案されている（例えば、特許文献１参照）。この場合、ネックの裏面と、ネック差込み溝の底面との間において、突起が位置決め溝に嵌まることによっても、ネックが、ボディに固定される。
【先行技術文献】
【特許文献】
【０００５】
【特許文献１】特開平８−１２３４０４号公報
【考案の概要】
【考案が解決しようとする課題】
【０００６】
一般的なボルトオンネック方式では、より簡単に製造できるという利点があるものの、セットネック方式またはスルーネック方式に比較して、損失が大きく、サスティン（音の持続性）が短くなる。特開平８−１２３４０４号公報に開示されている構造を採用することも考えられるが、複雑な構造となり、ボルトオンネック方式本来の、より簡単に製造できるという利点が無くなってしまう。
【０００７】
本考案は、このような状況に鑑みてなされたものであり、より簡単に製造できるという利点を維持したまま、損失をより少なくして、サスティンをより長くできるようにするものである。
【課題を解決するための手段】
【０００８】
本考案の第１の側面のネックプレートは、ネックとボディの接合方式としてボルトオンネック方式を採用するエレキギターに用いるネックプレートであって、チタンを主成分として含有する材料からなる。
【０００９】
本考案の第１の側面のネックプレートにおいて、四隅の近傍に配置されている４つのねじ穴のうちの任意の２つのねじ穴からなるねじ穴の組の全てのそれぞれについて、ねじ穴の間にリブを設けることができる。
【００１０】
本考案の第１の側面のネックプレートにおいて、中央がより厚く、辺に近づくに従ってより薄くなるように、ボディと接する側の面を凸状の曲面形状に成形することができる。
【００１１】
本考案の第２の側面のエレキギターは、ネックとボディの接合方式としてボルトオンネック方式を採用するエレキギターであって、チタンを主成分として含有する材料からなるネックプレートを備える。
【００１２】
本考案の第２の側面のエレキギターのネックプレートに、四隅の近傍に配置されている４つのねじ穴のうちの任意の２つのねじ穴からなるねじ穴の組の全てのそれぞれについて、ねじ穴の間にリブを設けることができる。
【００１３】
本考案の第２の側面のエレキギターのネックプレートは、中央がより厚く、辺に近づくに従ってより薄くなるように、ボディと接する側の面を凸状の曲面形状に成形することができる。
【考案の効果】
【００１４】
以上のように、本考案の第１の側面によれば、エレキギターをより簡単に製造でき、エレキギターの損失をより少なくして、エレキギターのサスティンをより長くできる。
【００１５】
本考案の第２の側面によれば、より簡単に製造でき、損失をより少なくして、サスティンをより長くできる。
【図面の簡単な説明】
【００１６】
【図１】本考案の一実施の形態のエレキギターの背面を示す図である。
【図２】ネックプレートの形状を示す平面図である。
【図３】エレキギターの音響特性を示す図である。
【考案を実施するための形態】
【００１７】
図１は、本考案の一実施の形態のエレキギター１の背面を示す図である。以下、いわゆるソリッドギターであるエレキギター１について説明するが、本考案は、セミソリッドギターやセミアコースティックギターなどのエレキギターにも適用できる。
【００１８】
エレキギター１において、ネックプレート１１の穴およびボディ１２の穴を貫通する木ねじ（図示せず）がネック１３にねじ込まれて、ネックプレート１１とネック１３とにボディ１２が挟み込まれることで、ネック１３がボディ１２に固定される。すなわち、エレキギター１は、ボディ１２とネック１３との接合方式としてボルトオンネック方式を採用する。なお、ボディ１２とネック１３との接合部分の形状は、従来と同様なので、簡単に製造できる。
【００１９】
ネックプレート１１は、チタンを主成分として含有する材料からなる。すなわち、例えば、ネックプレート１１は、JIS（Japanese Industrial Standards）（日本工業規格）２種のいわゆる純チタンで形成されている。
【００２０】
なお、ネックプレート１１は、JIS２種に限らず、JIS１種、JIS３種、またはJIS４種の純チタンで形成しても、チタン合金で形成してもよい。ネックプレート１１に用いるチタン合金として、いわゆる６−４合金と称されるJIS６０種、いわゆる３−２−５合金と称されるJIS６１種、またはJIS１１種若しくはJIS１２種などのチタン合金が挙げられる。
【００２１】
ネックプレート１１は、その機械的強度および剛性が高く、質量が小さい方が、損失をより少なくできる。ネックプレート１１の形状が同じであれば、ネックプレート１１の材料として、ヤング率などの弾性率が大きく、密度（比重）の小さいものが好ましい。音響用の材料として、弾性率／密度の値が大きいもの、すなわち、軽く曲がりにくいものがよい。チタンを主成分として含有する材料の弾性率／密度の値は、高炭素鋼やステンレス合金、マグネシウム合金、アルミ合金などの弾性率／密度の値と比較すると、より大きな値となる。
【００２２】
また、損失をより少なくするためには、ネックプレート１１の内部減衰率（振動減衰能）が小さい方が好ましい。チタンを主成分として含有する材料の内部減衰率（振動減衰能）は、高炭素鋼やステンレス合金、マグネシウム合金、アルミ合金などの内部減衰率（振動減衰能）と比較すると、より小さな値となる。
【００２３】
図２は、ネックプレート１１の形状を示す平面図である。ネックプレート１１は、厚さ2.0mm、幅51.0mm、高さ64.0mmの略長方形に形成され、その四隅は、半径6.5mmの円の円周で面取されている。ネックプレート１１の四隅の近傍に、半径5.5mmのねじ穴が配置されている。ねじ穴の横方向の距離（中心から中心まで）は、38.0mmとされ、ねじ穴の縦方向の距離（中心から中心まで）は、51.0mmとされている。なお、ネックプレート１１の厚さは、1.5mm乃至2.0mmのいずれかとすることができる。
【００２４】
さらに、ネックプレート１１には、ねじ穴のそれぞれの間にリブが設けられている。リブの部分は、他の部分に比較して厚く形成されている。
【００２５】
例えば、図２に示されるネックプレート１１の４つのねじ穴のうちの任意の２つのねじ穴からなるねじ穴の組の全てのそれぞれについて、ねじ穴の間には、幅4.0mmのリブが設けられている。すなわち、上側の２つのねじ穴の間および下側の２つのねじ穴の間には、それぞれ、幅4.0mmの横長のリブが設けられ、左側の２つのねじ穴の間および右側の２つのねじ穴の間には、それぞれ、幅4.0mmの縦長のリブが設けられ、さらに、左上のねじ穴および右下のねじ穴の間と、右上のねじ穴および左下のねじ穴の間とには、それぞれ、斜めに（たすきがけに）幅4.0mmのリブが設けられている。
【００２６】
なお、例えば、ねじ穴の間のリブは、その周囲が0.5mmの深さで切削されることにより形成される。
【００２７】
このようにすることで、ネックプレート１１の質量をより小さくすると共に、ネックプレート１１の強度および剛性を維持することができる。
【００２８】
さらに、ネックプレート１１の両面のうち、ボディ１２と接する側の面は、ネックプレート１１の中央がより厚く、ネックプレート１１の辺に近づくに従ってより薄くなるように、凸状の曲面形状に成形されている。この場合、ネックプレート１１の辺に対して、ネックプレート１１の中央を0.1mm乃至0.5mmのいずれか厚く成形することができる。
【００２９】
このようにすることで、ネックプレート１１の穴およびボディ１２の穴を貫通する木ねじがネック１３にねじ込まれて、ネックプレート１１のねじ穴に応力が加わって、ネックプレート１１が歪んだとしても、ネックプレート１１のボディ１２と接する側の面の全体が、確実にボディ１２に接することになる。従って、ネック１３とボディ１２とをより確実に、より高い剛性で接合することができるようになる。その結果、ネックプレート１１自身の振動による損失が減少し、ボディ１２とネック１３との間で振動が確実に伝達されるので、損失がより少なくなり、サスティンがより長くなる。
【００３０】
さらにまた、ネックプレート１１は、切削加工により成形されているので、プレス加工により成形されたネックプレートに比較して、ネックプレート１１の両面のうち、ボディ１２と接する側の面の平面度が向上している。
【００３１】
図３は、高音側の１弦を解放して、Eの音階の音（659.3Hzの音（以下、基音と称する））を鳴らした場合の、エレキギターの音響特性を示す図である。図３に示される音響特性は、リアルタイムスペクトラムアナライザのプログラムを実行するパーソナルコンピュータに、ネックプレート１１を装着したエレキギター１の信号と、鉄製のネックプレートを装着したエレキギターの信号とをそれぞれ入力して、得られたものである。
【００３２】
図３Ａは、ネックプレート１１を装着したエレキギター１の音響特性を示し、図３Ｂは、比較のため、鉄製のネックプレートを装着したエレキギターの音響特性を示す。図３において、点線は、ピーク値、すなわち、解放されている１弦をピッキングしたときの各周波数の利得を示し、実線は、１弦をピッキングしてから２０秒が経過したときの各周波数の利得を示す。点線で示されるように、図３Ａおよび図３Ｂにおいて、解放されている１弦をピッキングしたときの基音の利得は、-50dB程度と、ほぼ同様である。
【００３３】
１弦をピッキングしてから２０秒が経過したとき、鉄製のネックプレートを装着したエレキギターの基音の利得は、-90dB程度であるのに対して、ネックプレート１１を装着したエレキギター１の基音の利得は、-80dBより大きい。同様に、１弦をピッキングしてから２０秒が経過したとき、ネックプレート１１を装着したエレキギター１の基音の倍音の利得は、鉄製のネックプレートを装着したエレキギターの基音の倍音の利得より大きい。
【００３４】
また、例えば、１弦をピッキングしてから２０秒が経過したとき、1kHzや2kHzなど、基音の倍音以外にピークとして現れている音の利得についても、ネックプレート１１を装着したエレキギター１によるものが大きい。
【００３５】
このように、ネックプレート１１を装着したエレキギター１のサスティンがより長くなることが確認できた。
【００３６】
さらに、点線で示されるピーク値、すなわち、解放されている１弦をピッキングしたときの各周波数の利得から、ネックプレート１１を装着したエレキギター１の基音より高い音であって、基音の倍音などピークとして現れている音以外の音（図中のピークとピークの間の音）の利得は、鉄製のネックプレートを装着したエレキギターのものより小さくなっていることがわかる。すなわち、ネックプレート１１を装着したエレキギター１の音は、より純度の高いものとなっていると言える。
【００３７】
これは、鉄製のネックプレートに比較して、ネックプレート１１の剛性が高く、また、ネックプレート１１が軽いので、無用な振動の節が形成されてしまうことが抑制されることによるものと考えられる。
【００３８】
なお、エレキギター１は、いわゆるエレキベースであってもよい。
【００３９】
このように、ネックとボディの接合方式としてボルトオンネック方式を採用するエレキギターに用いるネックプレートをチタンを主成分として含有する材料から形成するようにした場合には、エレキギターをより簡単に製造でき、エレキギターの損失をより少なくして、エレキギターのサスティンをより長くすることができる。また、ネックとボディの接合方式としてボルトオンネック方式を採用するエレキギターに、チタンを主成分として含有する材料からなるネックプレートを設けるようにした場合には、より簡単に製造でき、損失をより少なくして、サスティンをより長くすることができる。
【００４０】
また、本考案の実施の形態は、上述した実施の形態に限定されるものではなく、本考案の要旨を逸脱しない範囲において種々の変更が可能である。
【符号の説明】
【００４１】
１  エレキギター，  １１  ネックプレート，  １２  ボディ，  １３  ネック
【図１】
0003154347.tif 000003
【図２】
0003154347.tif 000004
【図３】
0003154347.tif 000005